(57)【要約】【課題】収納機の合理的な配置によって店内稼働効率を向上し得るようにした遊技島装置を提供する。【解決手段】遊技島装置５００は複数の副搬送路Ｓから入れ込まれた薄片１００を主搬送路面Ｍで搬送して収納機１１０に収納する。第１には、主搬送路Ｍの終端部分Ｍｅの搬送路をＬ字形に屈曲させて収納機１１０に貯留された薄片１００の取出操作箇所１１０Ｘを遊戯機Ｂの正面Ｂｘと同一側に配置する。第２には、遊技機Ｂの列の列端の遊技機Ｂの背面側に収納機１１０を配置して収納機１１０に貯留された薄片１００の取出操作箇所１１０Ｘを列端の遊技機Ｂを開いた位置に配置する。収納機１１０の取出操作箇所１１０Ｘが遊戯機Ｂの正面Ｂｘ側になるため、外箱５０の下流側端板５１の外側に通路を設けなくてもよく、また、全長Ｌｚの両側に店内の壁部Ｐ１・Ｐ２がある場所にも配置できるなどにより、店内における遊技機Ｂの配置数が増加して、店内稼働効率を向上できる。【選択図】　　　　図１
2004016430.tif 000002
【特許請求の範囲】
【請求項１】
遊技機に用いる遊技用媒体を貸付けるための貸付機に入れ込まれた薄片を前記遊技機の列の背面側に配置した主搬送路に合流する合流搬送部分と、前記合流搬送部分から入れ込まれる前記薄片を前記主搬送路に沿って搬送する主搬送部分とを設けるとともに、前記主搬送路から入れ込まれる前記薄片を貯留する収納機を設けた遊技島装置であって、
前記主搬送路の終端部分の搬送路をＬ字形に屈曲させるとともに、前記収納機に貯留された前記薄片の取出操作箇所を前記遊技機の正面と同一側に配置する薄片取出箇所配置手段
を具備することを特徴とする遊技島装置。
【請求項２】
遊技機に用いる遊技用媒体を貸付けるための貸付機に入れ込まれた薄片を前記遊技機の列の背面側に配置した主搬送路に合流する合流搬送部分と、前記合流搬送部分から入れ込まれる前記薄片を前記主搬送路に沿って搬送する主搬送部分とを設けるとともに、前記主搬送路の終端部分から入れ込まれる前記薄片を貯留する収納収納機を設けた遊技島装置であって、
前記遊技機の列の列端に配置された前記遊技機の背面側に前記収納機を配置するとともに、前記収納機に貯留された前記薄片の取出操作箇所を前記列端の前記遊技機を開いた位置に配置する薄片取出箇所配置手段
を具備することを特徴とする遊技島装置。
【請求項３】
前記遊技機の列を前記主搬送路の前側または後側のみに配置したことを特徴とする請求項１または請求項２記載の遊技島装置。
【請求項４】
前記遊技機の列を前記主搬送路の前側と後側との両側に配置したことを特徴とする請求項１または請求項２記載の遊技島装置。
【請求項５】
前記遊技機の列を前記主搬送路の前側または後側のみ、もしくは、前側と後側との両側に配置するとともに、前記取出操作箇所の錠開閉を前記前側または前記後側のいずれか一方のみから行う鍵操作箇所を設けたことことを特徴とする請求項２記載の遊技島装置。
【請求項６】
前記遊技機の列を前記主搬送路の前側と後側との両側に配置するとともに、前記取出操作箇所の錠開閉を前記前側と前記後側との両側から行う鍵操作箇所を設けたことを特徴とする請求項２記載の遊技島装置。
【発明の詳細な説明】
【０００１】
【発明の属する技術分野】
この発明は、複数台の遊技機と、それに用いる遊技用球体や遊技用メダルなどの遊技用媒体を貸付ける対価として入れ込まれた紙幣などを搬送するための薄片搬送装置を設けた遊技島装置に関するものである。
【０００２】
【従来の技術】
パチンコ遊技機、スロットマシン、パチンコ遊技機にスロットマシン機能を設けたパチンコ・スロット遊技機などの遊技機Ｂを、図７のように、複数台配置して、１つのブロック状に構成したものを遊技島装置５００といい、この遊技島装置５００は、パチンコ店、スロットマシン店などの遊技店の内部において、あたかも複数の「島」を配置したように見えるので、通称を「島」とも呼ばれている。
【０００３】
なお、以下の図において、同一符号で示す部分は、いずれかの図において説明する同一符号の部分と同一の機能をもつ部分である。また、図中の太い線の部分は、その部分の端面または断面を略して画いた部分である。さらに、この発明において、部材とは、各構成部分を構成している構成材であって、単一または複数の構成要素によって構成した構成材をいうものである。
【０００４】
そして、図７の遊技島装置５００の構成（以下、第１従来技術という）ように、遊技用媒体、すなわち、遊技用の球体やメダルなどの貸付対価として入れ込まれた紙幣、伝票、カード類などの薄片１００を搬送するための薄片搬送装置３００を遊技島装置５００に組み付けた構成が周知である。
【０００５】
図７において、遊技島装置５００には、複数台の遊技機Ｂを前列側と後列側とに分けて配置するとともに、遊技機Ｂ間の所要箇所に、遊技用媒体（図示せず）を貸付けるための貸付機（装置全体は図示せず）Ｃに入れ込まれた薄片１００を主搬送路Ｍに搬送するための貸付機Ｃに設けられた副搬送路Ｓにより搬送して後記の合流搬送部分２に入れ込んで主搬送路Ｍに合流させることにより主搬送路Ｍの下流側に搬送するための薄片搬送装置３００を組み付けて構成してある。なお、この発明において、上流側または下流側とは主搬送路Ｍにおける薄片１００の流れの上流側または下流側をいう。
【０００６】
さらに、詳しくは、図７のように、遊技機Ｂを一連の列にして並べるとともに、前列側の遊技機Ｂと後列側の遊技機Ｂとの間の空間部分、すなわち、前側側の遊技機Ｂの背面側であり、かつ、後列側の遊技機Ｂの背面側に当たる空間部分には、薄片搬送装置３００の主搬送部分４と合流搬送部分２とを連続させて構成した主搬送路Ｍを配置するとともに、貸付機Ｃの副搬送路Ｓから入れ込まれた薄片１００を合流搬送部分２で主搬送路Ｍに合流させて、主搬送路部分４で主搬送路Ｍの方向に搬送しており、主搬送路Ｍの終端に設けた収納機１１０に薄片１００を収納している。
【０００７】
ここで、図７の構成では、遊技機Ｂの列を前列側と後列側との両側に配置しているが、遊技機Ｂ前列側または後列側のうちの片側のみに配置した構成（以下、第２従来技術という）も周知である。そして、図７のように、遊技機Ｂを両側に配置したものを「両側島」、上記のように、片側のみに配置したものを「片側島」と言っている。なお、前列・後列・前側・後側・内側・外側・縦方向・横方向など位置または方向を示す記載は、図の構成上における配置をいうものであって、遊技店内における実際の配置をいうものではない。
【０００８】
収納機１１０を、遊技島装置５００の外箱５０の下流側に設けた端板５１に固定するとともに、端板５１から外側に張り出した収納機１１０の外側を錠５２ａ付きの開閉蓋５２Ａを設けた小さい覆箱５２で覆ってある。
【０００９】
そして、図示していないが、遊技島装置５００には、この他に、対価として入れ込まれた硬貨を搬送する搬送部分や、遊技媒体を搬送する搬送部分などが設けてある。
【００１０】
薄片搬送装置３００における主搬送路Ｍの全長は、配置場所や組付対象となる遊技島装置５００などの配置構成によって、種々に異なるため、主搬送路Ｍの終端部分、すなわち、主搬送路Ｍを収納機１１０の収納搬送路Ｋに接続する主搬送路Ｍの部分には、図７・図８のように、主搬送部分４を短い長さにして構成した補間用の主搬送部分Ｅを配置した〔末端補間型〕の構成（以下、第３従来技術という）になる場合と、図９のように、合流搬送部分２を配置した〔末端合流型〕の構成（以下、第４従来技術という）になる場合と、図１０のように、主搬送部分４を配置した〔末端主搬送型〕の構成（以下、第５従来技術という）になる場合とがある。
【００１１】
さらに、図８〜図１０の構成においても、図７のように、貸付機Ｃと合流搬送部分２との間に、副搬送路Ｓの一部を構成する案内導管８を設ける構成と、案内導管８を設けない構成とがある。
【００１２】
そして、薄片１００、例えば、紙幣を副搬送路Ｓ・主搬送路Ｍ・収納搬送路Ｋに沿って搬送するための貸付機Ｃ・合流搬送部分２・主搬送部分４・収納機１１０における具体的な搬送構成は、例えば、上記の第１従来技術の構成、すなわち、図７の〔末端補間型〕の構成の場合には、図１１のように構成してある。
【００１３】
図１１の構成（以下、第６従来技術という）において、貸付機Ｃの副搬送路Ｓにおける搬送構成は、薄片１００の取込側と送出側とに対向して配置したプーリＣ１ａ・Ｃ１ｂ・Ｃ２ａ・Ｃ２ｂに掛け渡したベルトＣ３ａ・Ｃ３ｂのように、対向して配置した同一速度で送行する２つの無端状のベルトの間に薄片１００を挟み込んで搬送する機構（以下、対向ベルト搬送機構という）Ｃ３によって構成してある。
【００１４】
そして、プーリＣ１ａ・Ｃ１ｂまたはプーリＣ２ａ・Ｃ２ｂを、適宜の伝動機構（図示せず）、例えば、歯車機構を介して、貸付機Ｃに配置した駆動モータＣ４で駆動することにより副搬送路Ｓにおける薄片１００の搬送を行っている。
【００１５】
さらに、薄片１００の取込側と送出側とには、薄片１００の取込と送出とを所要の方向に対する搬送を所定の方向に安定して行い得るように搬送路を中心に対向して配置した案内片Ｃ１１・Ｃ１２を設けてある。
【００１６】
貸付機Ｃの副搬送路Ｓの送出側と、この送出側に対向する後記の合流搬送部分２の取込側との間の距離が長かったり、距離が変化したりする場合には、この間の搬送を橋渡しするために、内径を薄片１００、例えば、紙幣を案内しながら通過させられる大きさにした案内導管８を貸付機Ｃと合流搬送部分２との間に配置している。
【００１７】
主搬送部分４における搬送構成も、同様に、上流側と下流側とに対向して配置したプーリ４４ａ・４４ｂ・４６ａ・４６ｂに掛け渡したベルト４５Ａ・４５Ｂによる対向ベルト搬送機構４５によって構成してある。
【００１８】
そして、プーリ４４ａ・４４ｂまたはプーリ４６ａ・４６ｂを、適宜の伝動機構、例えば、歯車機構を介して、後記の合流搬送部分２に配置した駆動モータ２６で駆動することにより当該部分の主搬送路Ｍにおける薄片１００の搬送を行っている。
【００１９】
合流搬送部分２における搬送構成は、主搬送路Ｍに沿って搬送を行う部分と、副搬送路Ｓからの薄片１００、例えば、案内導管８を介して送り込まれた薄片１００を主搬送路Ｍに合流させる搬送を行う部分とで構成してあり、主搬送路Ｍに沿って搬送を行う部分は、薄片１００の取込用として上流側に位置付けて主搬送路Ｍ上に対向して配置した対向ローラ２１ａ・２１ｂにより、上流側の主搬送部分４から入れ込まれる薄片１００を取り込んで下流側に搬送するように構成してある。
【００２０】
そして、対向ローラ２１ａ・２１ｂのうちの一方を他方に弾力的に押圧することにより、薄片１００を確実に搬送できるようにしている。この押圧は、例えば、ばね（図示せず）を一方のローラの軸に設けて他方のローラの軸側に押し付けるように構成してある。
【００２１】
副搬送路Ｓからの薄片１００を主搬送路Ｍに合流させる搬送を行う部分は、主搬送路Ｍを中心にして、前側と後側とに対称的に配置してあり、薄片１００の取込用として貸付機Ｃ側に位置付けて副搬送路Ｓ上に対向して配置した対向ローラ２２ａ・２２ｂにより、貸付機Ｃから入れ込まれる薄片１００を取り込むとともに、対向ローラ２２ａ・２２ｂで取り込まれた薄片１００を主搬送路Ｍに送り込むための送込ローラ２３とで構成してある。
【００２２】
そして、対向ローラ２２ａ・２２ｂを、上記の対向ローラ２１ａ・２１ｂと同様に、一方を他方に弾力的に押圧するように構成するとともに、送込ローラ２３を外周に薄片１００を掻き込む形状、例えば、周囲に複数の突起部分（図示せず）を設けた羽根車状の形状に形成することにより薄片１００の外面を摩擦力で掻き込んで、主搬送路Ｍ側に送出するように構成してある。
【００２３】
また、対向ローラ２１・２１ｂと、対向ローラ２２ａ・２２ｂと、送込ローラ２３とを、適宜の伝動機構（図示せず）、例えば、歯車機構を介して、合流搬送部分２に配置した駆動モータ２６で駆動することにより、合流搬送部分２における薄片１００の搬送を行うとともに、同様の伝動機構（図示せず）を介して、送込ローラ２３とプーリ４４ａ・４４ｂとを連動し、または、対向ローラ２１ａ・２１ｂとプーリ４６ａ・４６ｂを連動することによって主搬送部分４における薄片１００の搬送を行っている。
【００２４】
さらに、上流側からの薄片１００の取込側と、副搬送路Ｓ側からの薄片１００を取込側と、上流側からの薄片１００と副搬送路Ｓ側からの薄片１００の送出側とには、薄片１００の取込と送出とを所要の方向に案内するように対向して配置した案内片２４・２５を設けてある。
【００２５】
なお、貸付機Ｃ・主搬送部分４・合流搬送部分２は、薄片１００の通路にならない箇所には、それぞれ、保護覆ＣＡ・４Ａ・２Ａを施すことにより、遊技媒体などの入り込みなどによる故障を防止するように保護している。
【００２６】
また、上記の送込ローラ２３の部分を対向ローラ２２ａ・２２ｂと同様の構成にするとともに、ローラの外径を大きくするように変更した構成（以下、第７従来技術という）も周知である。
【００２７】
さらに、主搬送部分４のプーリ４４ａ・４４ｂを上流側の合流搬送部分２の歯車機構と連動させるとともにプーリ４６ａ・４６ｂを下流が合流搬送部分２の歯車機構と連動させることにより、１つの合流搬送部分２のみに配置した駆動モータ２６により全体の合流搬送部分２と主搬送部分４とを駆動する構成（以下、第８従来技術という）が周知である。
【００２８】
そして、同様の連動構成と複数個目ごとの合流搬送部分２のみに駆動モータ２６を配置して複数の合流搬送部分２と主搬送部分４とをブロック状に区分して搬送駆動する構成（以下、第９従来技術という）も周知である。
【００２９】
収納機１１０の収納搬送路Ｋにおける搬送構成は、主搬送路Ｍの終端Ｍ１から収納搬送路Ｋの始端Ｋ１に送り込まれる薄片１００を取り込むための対向ローラ１１１ａ・１１１ｂと、取り込まれた薄片１００を貯留部分１１２に送り込むための対向ローラ１１３ａ・１１３ｂと、さらに、後続の貯留部分（図示せず）を設けた場合には、その貯留部分に送り込むための送込用ローラを兼ねる対向ローラ１１５ａ・１１５ｂとで構成してある。
【００３０】
これらの各対向ローラは、上記の対向ローラ２１ａ・２１ｂと同様に一方を他方に押圧するように構成するとともに、適宜の動機構（図示せず）を介して、収納機１１０に配置した駆動モータ１１７で駆動することにより、収納搬送路Ｋにおける薄片１００の搬送を行っている。なお、対向ローラ１１３ａ・１１３ｂの一方のローラ１１３ｂと、対向ローラ１１５ａ・１１５ｂの一方のローラ１１５ｂとの間にはベルト１２０を掛け渡して、後記の押込動作時における薄片１００の姿勢を整える役目をさせている。
【００３１】
そして、対向ローラ１１１ａ・１１１ｂで取り込まれた薄片１００の種別、例えば、薄片１００が紙幣の場合には、１０００円札・５０００円札・１００００円札などの種別を検出部分１１８で検出して得られる検出信号を制御部分（図示せず）に与えることにより、収納された種別と枚数の表示データを得るほか、後続の貯留部分を設けているときは、その貯留部分に転送するか否かなどの制御を行わせている。
【００３２】
薄片１００を貯留部分１１２に貯蓄する動作は、制御部分の制御動作により、薄片１００が貯留部分１１２の箇所に位置づけられたときに、電動アクチェータ１１６Ａと、Ｘバーリンク機構１１６Ｂに連結された押板１１６Ｃとで構成した押込機構１１６を駆動して、押板１１６Ｃで薄片１００を貯留部分１１２側に移行させことにより、薄片１００を貯留部分１１２に貯留している。
【００３３】
貯留部分１１２は、移行されてきた薄片１００をばね１１２Ｃで押される押板１１２Ｄと収納搬送路Ｋ側に配置した止板１１２Ｅとの間に挟み込んで保持することにより、薄片１００を水平方向に重ねて整頓しながら貯留する。
【００３４】
貯蓄部分１１２の上側の位置には、例えば、図７の〔下流側側面〕ように、上記の制御部分と上記の判別によって得られた薄片１００の種別ごとの枚数、判別し得なかった薄片１００の枚数などを表示する表示部分とを一体にした制御表示部分１１０Ａを配置してあり、その表示内容を覆箱５２に設けた覗き窓５２ｂから見ることができるように構成してある。
【００３５】
収納機１１０の外周を覆った保護覆１２１は取付部分１２１Ａと取付ねじ１１０ｄとによって下流側端板５１に固定してあり、また、覆箱５２の開閉蓋５２Ａの内側に対向する箇所に、内蓋１１０ｂを設けてあって、薄片１００を管理する担当者は、覗き窓５２ｂから上記の表示内容を見るとともに、必要に応じて、錠５２ａを、鍵（図示せず）で開操作して開閉蓋５２Ａを開いた後に、錠１１０ｙを同様に操作して内蓋１１０ｂを開き、貯留部分１１２に貯蓄されている薄片１００を取り出している。
【００３６】
なお、内部の機構部分・制御部分の点検などを行う担当の作業員は錠５２ａの開閉を行うための鍵のみを所持し、薄片１００を取り出す担当の作業員は錠５２ａ・錠１１０ｙの両方の開閉を行うための鍵を所持するようにしている。
【００３７】
つまり、内蓋１１０ｂの錠１１０ｙとを開けて薄片１００を取り出す操作を行う箇所が、貯留されている薄片１００の取出操作箇所１１０Ｘを構成していることになる。
【００３８】
図１０において、各案内片と、ローラ・プーリ・ベルトなどとが重なって画かれている部分は、高さ方向、すなわち、図の紙面に対して垂直な方向において、各案内片と、ローラ・プーリ・ベルトなどとの配置高さを異ならせて配置することにより、当該部分での搬送と案内との両機能が行えるように構成してある。なお、以下の図においても、同様である。
【００３９】
また、収納機１１０を、例えば、図１２のように、薄片１００の姿勢を紙面が水平になるように転向させた後に貯留する構成（以下、第１０従来技術という）が周知である。
【００４０】
図１１の構成では、複数の収納機１１０を垂直方向に重ねてあり、紙面を垂直方向にした姿勢で搬送されてきた薄片１００をその姿勢のまま水平面内にいて直角方向に向きを変える案内導管８Ｂを通った後に、垂直方向に向きを変える案内導管１１３Ｄを通って、各収納機１１０に対する共通路８Ｃを入るように案内される。
【００４１】
共通路８Ｃは、終端路８Ｃ１が上段の収納機１１０、途中の転向路８Ｃ２が中段の収納分１１０、転向路８Ｃ３が下段の収納機１１０の各取込口になっていて、各転向路８Ｃ２・８Ｃ３の分岐箇所に設けた各転向切換板（図示せず）を電動アクチェータ８Ｄ１・８Ｄ２で動作させることにより、共通路８Ｃを通る薄片１００を目的とする収納機の取込口に案内する。
【００４２】
各収納機１１０は、図１０の収納機１１０を薄片１００の紙面が水平方向になるように向きを変えて配置したものであり、薄片１００は終端路８Ｃ１・分岐路８Ｃ２・分岐路８Ｃ３の箇所で、紙面を水平方向にするように転向され後に取り込まれる。
【００４３】
薄片１００を貯留する収納機１１０の選択は、共通通８Ｃの入口に配置した検出部分１１８と適宜の箇所に配置した制御部分（図示せず）によって、電動アクチェータ８Ｄ１・８Ｄ２を適宜に選択動作させており、薄片１００の種類別に異なる収納機１１０に貯留する場合と、所定の収納機１１０における薄片１００の貯留が所定量に達したときに、次順の収納機１１０に貯留する場合とがある。
【００４４】
そして、各貯留部分１１０には、図１１の収納機１１０と同様の内蓋１１０ｂと錠１１０ｙとを設けてある。つまり、この構成では、図１２の各内蓋１１０ｂの各錠１１０ｙを開けて貯留された薄片１００を取り出す箇所が取出装置箇所１１０Ｘになっている。
【００４５】
なお、内蓋１１０ｂ・錠１１０ｙを各収納機１１０ごとに設けずに、図１２に鎖線で示したように、複数の収納機１１０に対して１つの内蓋１１０ｂと１つの錠１１０ｙとを設ける構成も周知である。この構成でも、同様に、内蓋１１０ｂの錠１１０ｙを開けて貯留された薄片１００を取り出す箇所が取出装置箇所１１０Ｘになっている。
【００４６】
また、転向用の案内導管１１３Ｄは、例えば、図１３のように、取込口側には対向ローラ１１３Ｅ・１１３Ｆを、また、送出側には対向ローラ１１３Ｇ・１１３Ｈを配置するとともに、適宜の連動機構を介して電動機で駆動することにより薄片１００を搬送しながら案内しおり、案内導管８Ｂ・共通路８Ｃにも同様に、搬送を行うための対向ローラを設けてある。
【００４７】
そして、図１１の収納機１１０と図１２の収納機１１０とを組み合わせて構成したものを収納機として設ける構成（以下、第１１従来技術という）も周知である。
【００４８】
【発明が解決しようとする課題】
上記の第１従来技術〜第１１従来技術による薄片搬送装置３００を組み付けた遊技島装置５００では、収納機１１０に貯留された薄片１００の取出操作箇所１１０Ｘが遊技島装置５００の外箱５０の下流側側面、つまり、端板５１の外側に配置してあるため、図７のように、薄片１００の取出操作を行う作業担当者が取出操作箇所１１０Ｘを操作するための通路８０を設けておく必要がある。
【００４９】
したがって、図７のように、遊技島装置５００の全長Ｌｚに通路８０の幅Ｌｘを加えた長さ（Ｌｚ＋Ｌｘ）以上の大きさの配置場所が必要になるので、店内の配置場所によって遊戯機Ｂの配置数を制限されることになる。
【００５０】
しかし、店内面積当たりの稼働率は配置された遊技機Ｂの数によって定まるので、たとえ１台でも遊技機Ｂの配置数を増加させたいが、上記のように制限されるは好ましくないものとされながらも、やむを得ないものとされてきたという不都合がある。
このため、こうした不都合のない装置の提供が望まれている課題がある。
【００５１】
【課題を解決するための手段】
この発明は上記のような
遊技機に用いる遊技用媒体を貸付けるための貸付機に入れ込まれた薄片を上記の遊技機の列の背面側に配置した主搬送路に合流する合流搬送部分と、上記の合流搬送部分から入れ込まれる上記の薄片を上記の主搬送路に沿って搬送する主搬送部分とを設けるとともに、上記の主搬送路の終端部分から入れ込まれる上記の薄片を貯留する収納収納機を設けた遊技島装置において、
【００５２】
上記主搬送路の終端部分の搬送路をＬ字形に屈曲させるとともに、上記の収納機に貯留された上記の薄片の取出操作箇所を上記の遊技機の正面と同一側に配置する薄片取出箇所配置手段
を設ける第１の構成と、
【００５３】
上記の第１の構成における遊技島装置と同様の遊技島装置において、
上記の遊技機の列の列端に配置された上記の遊技機の背面側に上記の収納機を配置するとともに、上記の収納機に貯留された上記の薄片の取出操作箇所を上記の列端の上記の遊技機を開いた位置に配置する薄片取出箇所配置手段
を設ける第２の構成と、
【００５４】
上記の第１の構成・第２の構成において、
上記の遊技機の列を上記の主搬送路の前側または後側のみに配置した第３の構成と、
上記の第１の構成・第２の構成において、
上記の遊技機の列を上記の主搬送路の前側と後側との両側に配置した第４の構成と、
上記の第２の構成において、
上記の遊技機の列を上記の主搬送路の前側または後側のみ側のみ、もしくは、前側と後側との両側に配置するとともに、上記の取出操作箇所の錠開閉を上記の前側または上記の後側のいずれか一方のみから行う鍵操作箇所を設けた第５の構成と、
【００５５】
上記の第２の構成において、
上記の遊技機の列を上記の主搬送路の前側と後側との両側に配置するとともに、上記の取出操作箇所の錠開閉を上記の前側と上記の後側との両方から行う鍵操作箇所を設けた第６の構成と
により上記の課題を解決したものである。
【００５６】
【発明の実施の形態】
この発明の実施の形態として、この発明を上記の各従来技術の構成に適用した実施例を説明する。
【００５７】
【実施例】
〔第１実施例〕
以下、図１により第１実施例を説明する。この第１実施例の構成が上記の第１１従来技術・第６従来技術による構成と異なる箇所は、主搬送路Ｍの終端部分Ｍｅの主搬送路を、図１のように、Ｌ字形に屈曲させて形成するとともに、収納機１１０の貯留部分１１２に貯留された薄片１００、例えば、紙幣の取出操作箇所１１０Ｘを、図１のように、遊戯機Ｂの正面Ｂｘと同一側に配置するように変更して構成した箇所である。
【００５８】
つまり、この第１実施例の構成は、概括的には、第１には、
遊技機Ｂに用いる遊技用媒体（図示せず）、例えば、遊技用球体や遊技用メダルなどを貸付けるための貸付機Ｃに入れ込まれた薄片１００、例えば、紙幣を上記の遊技機Ｂの列の背面側に配置した主搬送路Ｍに合流する合流搬送部分２と、上記の合流搬送部分２から入れ込まれる上記の薄片１００を上記の主搬送路Ｍに沿って搬送する主搬送部分４とを設けるとともに、上記の主搬送路Ｍの終端部分Ｍ１から入れ込まれる上記の薄片１００を、例えば、貯留部分１１２に貯留する収納機１１０を設けた遊技島装置５００において、
【００５９】
上記の主搬送路Ｍの終端部分Ｍｅの搬送路をＬ字形に屈曲させるとともに、上記の収納機１１０に貯留された上記の薄片１００の取出操作箇所１１０Ｘを上記の遊戯機Ｂの正面Ｂｘと同一側に配置する薄片取出箇所配置手段
を設けた上記の第１の構成を構成しているものである。
【００６０】
また、第２には、上記の第１の構成において、
上記の遊技機Ｂの列を上記の主搬送路Ｍの前側と後側との両側に配置した上記の第４の構成を構成しているものである。
【００６１】
そして、具体的には、図７における主搬送路Ｍの終端部分Ｍｅに配置した補間用の主搬送部分Ｅに代えて、例えば、図１のように、Ｌ字形に屈曲した屈曲搬送路Ｍｘをもつ屈曲主搬送部分４Ｘを配置することにより、収納機１１０の取出操作箇所１１０Ｘを遊技機Ｂの正面Ｂｘと同一側に配置できるようにしたものである。
【００６２】
図１において、屈曲主搬送部分４ｘは、主搬送部分４の対向ベルト搬送機構４５の途中箇所にＬ字形に屈曲した屈曲搬送路Ｍｘを設けるとともに、その屈曲搬送路Ｍｘの屈曲箇所において、対向ベルト搬送機構４５の対向ベルト部分４２には、屈曲の内側に位置する箇所（以下、屈曲内側箇所という）に案内用ローラ４５Ｒを配置し、対向ベルト搬送機構４５の外側の復側ベルト部分４５Ａ１の内側屈曲箇所には案内用ローラ４５Ｓを配置し、対向ベルト搬送機構４５の内側の復側ベルト部分４５Ｂ１の内側屈曲箇所には案内用ローラ４５Ｔを配置することによって、対向ベルト搬送機構４５が薄片１００を屈曲搬送路Ｍｘに沿って、円滑に搬送し得るように構成したものである。
【００６３】
ここで、Ｌ字形の屈曲は、図１では、屈曲角度θｘが９０°程度の直角方向に屈曲させているが、配置場所の状況によって、斜めに屈曲することを含むものである。
【００６４】
なお、図示していないが、屈曲主搬送部分４Ｘには、薄片１００を取り込む箇所、すなわち、プーリ４４ａ・４４ｂの対向箇所と、薄片１００が屈曲する屈曲搬送路Ｍｘの案内用ローラ４５Ｒの箇所と、薄片１００を送出する箇所、すなわち、プーリ４６ａ・４６ｂの対向箇所とに、それぞれ、薄片１００の両面を屈曲搬送路Ｍｘに沿って案内するための案内片を、図１１の構成と同様に、対向させて配置してある。
【００６５】
そして、こうした配置によれば、収納機１１０の覆箱５２は、外箱５０の端板５１の内側に収納機１１０を囲むように形成するとともに、開閉蓋５２Ａを遊技機Ｂの正面と同一側に配置することができるので、収納機１１０の貯留部分１１２に貯留された薄片１００の取出操作箇所１１０Ｘは、必然的に、図１のように、遊技機Ｂの正面Ｂｘと同一側に配置されることになる。
【００６６】
また、収納機１１０の貯留部分１１２を、例えば、図１に鎖線で示したように、貯留部分１１２の上流側の位置に支点１１２ｘを設けて、貯留部分１１２の下流側を開くように構成することによって、薄片１００の取出操作を容易にすることができる。
【００６７】
さらに、貯留部分１１２をカセット１１２Ｘにして構成するとともに、支点１１２ｘの部分を、ばね材または合成樹脂材など弾性部材の形成することにより、弾性部材を変形させて支点１１２ｘを外して、貯留部分１１２のカセット１１２Ｘを覆箱５２から出して薄片１００を取り出した後に、カセット１１２Ｘを元の状態に戻すように構成することにより、薄片１００の取出操作を、さらに、容易にすることができる。
【００６８】
なお、収納機１１０を、図１２の第１０従来技術による収納機１１０の構成と同様の構成、または、図１の収納機１１０と、図１２の第１０従来技術による収納機１１０の構成とを組み合わせた第１１従来儀の構成にして、収納機１１０における薄片１００の貯留量を増加させるように構成できることは言うまでもない。
【００６９】
そして、収納機１１０の幅Ｌ１１は、例えば、約６０ｍｍ程度に構成できるので、覆箱５２の幅Ｌ１２は、その２倍の約１２０ｍｍ程度に構成できることになるほか、収納機１１０の取出操作箇所１１０Ｘが遊技機Ｂの正面Ｂｘと同一側にあるので、図７の従来技術の構成のように、取出操作のための通路８０を設ける必要がなくなるわけである。
【００７０】
したがって、この第１実施例の構成によれば、遊技島装置５００の全長Ｌｚを従来技術のものに比べて小さくできるほか、図１のように、配置場所の壁部Ｐ１・Ｐ２を遊技島装置５００の上流側の側面と下流側の側面とに接して配置させたり、壁部Ｐ１に接して配置させ遊技島装置５００の上流側の側面にのみに通路を設けたりすることができるため、店内における配置場所の選択が容易になるとともに、遊技機Ｂの配置数を増加させて配置できるので、店内配置における稼働率を向上させることができる。
【００７１】
〔第２実施例〕
以下、図２により第２実施例を説明する。この第２実施例の構成が上記の第１実施例の構成と異なる箇所は、遊技機Ｂの列を片側、例えば、図２のように、前側のみ設けるように変更して構成した箇所である。
【００７２】
つまり、この第２実施例の構成は、概括的には、第１には、上記の第１実施例と同様に、上記の第１の構成を構成しているものであり、第２には、上記の第１の構成において、
上記の遊技機Ｂの列を上記の主搬送路Ｍの前側または後側のみに配置した上記の第３の構成を構成していることになるものである。
【００７３】
そして、この第２実施例の構成によれば、図２のように、上記の第１実施例での壁部Ｐ１・Ｐ２に加えて、遊技島装置５００の奥側にも壁部Ｐ３があるような隅部分の場所にも、遊技機Ｂの配置数を低減せずに配置できるので、店内における配置場所の選択が容易になるとともに、店内配置における稼働率を向上させることができる。
【００７４】
〔第３実施例〕
以下、図３〜図５により第３実施例を説明する。この第３実施例の構成が上記の第１１従来技術・第６従来技術による構成と異なる箇所は次の箇所である。
【００７５】
第１には、図３の〔定常動作状態〕のように、遊技機Ｂの列の列端に配置された遊技機Ｂ（Ｂｅ）の背面側に収納機１１０を配置するように変更した箇所である。
第２には、収納機１１０の貯留部分１１２に貯留された薄片１００、例えば、紙幣を取り出す取出操作箇所１１０Ｘを、図３の〔取出操作状態〕のように、遊技機Ｂの列の列端に配置された遊技機Ｂ（Ｂｅ）を開いた位置に配置するように変更した箇所である。
【００７６】
第３には、図４のように、取出操作箇所１１０Ｘの錠開閉、すなわち、錠の開閉を上記の前側と上記の後側との両方から行うようにした内蓋１１０ｂの錠１１０ｙを錠開閉を行うための鍵操作箇所１１０ｙ５、例えば、前側に設けた錠１０ｙと後側に設けた錠１１０ｙとの回転軸部分１１０ｙ１を連結棒１１０ｙ２で連結しておき、前側の錠１１０ｙと後側の錠１１０ｙとのいずれか一方で錠を開く操作を行えば、内蓋１１０ｂを開けることができ、同様にして、いずれか一方で錠を閉じる操作を行えば内蓋１００ｂを錠閉じ状態にできるようにした鍵操作箇所１１０ｙ５を設けて構成した箇所である。
【００７７】
第４には、図３・図４の構成において、取出操作箇所１１０Ｘの錠開閉、すなわち、錠の開閉を前側または後側のいずれか一方のみ、例えば、貯留部分１１２が配置された側、すなわち、図３・図４の場合は前側のみから行うように、変更して構成した箇所である。
【００７８】
つまり、この第３実施例の構成は、概括的には、第１には、上記の第１実施例で述べた遊技島装置５００と同様の遊技島装置５００において、
上記の遊技機Ｂの列の列端に配置された上記の遊技機Ｂ（Ｂｅ）の背面側に上記の収納機１１０を配置するとともに、上記の収納機１１０に貯留された上記の薄片１００の取出操作箇所１１０Ｘを上記の列端の上記の遊技機Ｂ（Ｂｅ）を開いた位置に配置する薄片取出箇所配置手段
を設けた上記の第２の構成を構成しているものである。
【００７９】
また、第２には、上記の第２の構成において、
上記の遊技機Ｂの列を上記の主搬送路Ｍの前側と後側との両側に配置した上記の第４の構成を構成しているものである。
【００８０】
さらに、第３には、上記の第２の構成において、
上記の遊技機の列を上記の主搬送路の前側と後側との両側に配置するとともに、上記の取出操作箇所の錠開閉を上記の前側または上記の後側のいずれか一方のみから行う鍵操作箇所を設けた上記の第５の構成を構成しているものである。
【００８１】
そして、第４には、上記の第２の構成において、
上記の遊技機Ｂの列を上記の主搬送路Ｍの前側と後側との両側に配置するとともに、上記の取出操作箇所１１０Ｘの錠開閉を上記の前側と上記の後側との両方から行う鍵操作箇所１１０ｙ５を設けた上記の第６の構成を構成していることになるものである。
【００８２】
そして、具体的には、遊技機Ｂを、例えば、遊技機Ｂの上流側の前隅に設けた支点Ｂａを中心にして、図３の〔取出操作状態〕のように、手前側に開くとともに、下流側の前隅に錠Ｂｙを設けて錠開閉できるように構成してあり、取出操作を行うときには、錠Ｂｙを開けて、遊技機Ｂを図３の〔取出操作状態〕に開くようにしてある。
【００８３】
遊技機Ｂを図３の〔取出操作状態〕に開くと、遊技機Ｂの背面側、つまり、前側の遊技機Ｂ、後側の遊技機Ｂのいずれにに対して背面側に、取出操作箇所１１０Ｘが配置されていることになり、遊技機Ｂの前列側、後列側の両側から鍵操作箇所１１０ｙ５を操作して収納機１１０の取出操作箇所１１０Ｘの錠開閉を行うことができる状態になる。
【００８４】
なお、図３・図４の構成では、上流側の収納機１１０に後続させて、収納機１１０から検出部分１１８を除去した収納機１１０を配置することにより、収納機１１０における薄片１００の貯留量を増加させるようにしているが、図５のように、上流側の収納機１１０のみに変更して構成してもよい。
【００８５】
さらに、図３・図４の構成では、上流側の収納機１１０と下流側の収納機１１０とに各個別に内蓋１１０ｂと鍵操作箇所１１０ｙ５を設けているが、これらの内蓋１１０ｂを連続した１個の内蓋１１０ｂにして形成するとともに、下流側の鍵操作箇所１１０ｙ５のみを設けるように変更して構成してもよい。
【００８６】
また、図１２の第１０従来技術による構成の収納機１１０を設けるように変更して構成してもよく、さらに、図１２の第１０従来技術による構成の収納機１１０を、例えば、図６のように、各内蓋１１０ｂと各錠１１０ｙとを両方の側面側に設けるとともに、各錠１１０ｙを図４の鍵操作箇所１１０ｙ５と同様に構成したものを設けるように変更して構成してもよく、そして、この構成の場合には、図６に鎖線で示したように、各内蓋１１０ｂを連続した１個の内蓋１１０ｂにして形成するとともに、１箇所、例えば、最上側の箇所のみに、図４の鍵操作箇所１１０ｙ５と同様の錠開開を行う構成を設けるように変更して構成することもできる。
【００８７】
また、遊技機Ｂの開閉に用いる支点Ｂａを下流側の前隅に、錠Ｂｙを上流側の前隅に配置するように変更してもよく、さらに、後列側の遊技機Ｂには上記の支点Ｂａ・錠Ｂｙを設けずに、前列側からのみ取出操作を行うように変更してもよいことは言うまでもない。なお、上記の第５の構成にする場合には、図５の構成において、取出操作箇所１１０Ｘの錠開閉、すなわち、錠の開閉を前側または後側のいずれか一方のみ、例えば、貯留部分１１２が配置された側、すなわち、図５の場合は前側のみから行うように、変更して構成すればよい。
【００８８】
したがって、この第３実施例の構成によれば、上記の第１実施例の構成における収納機１１０・覆箱５２を遊技機Ｂと同列に配置した場合よりも、遊技島装置５００の全長Ｌｚを収納機１１０の外箱５２の幅Ｌ１２の分まで無くした短い長さ小さくできるほか、図３・図５のように、配置場所の壁部Ｐ１・Ｐ２を遊技島装置５００の上流側の側面と下流側の側面とに接して配置させたり、壁部Ｐ１に接して配置させ遊技島装置５００の上流側の側面にのみに通路を設けたりすることができるため、店内における配置場所の選択が容易になるとともに、遊技機Ｂの配置数を増加させて配置できるので、店内配置における稼働率を向上させることができる。
【００８９】
〔第４実施例〕
以下、図２・図３・図５により第４実施例を説明する。この第４実施例の構成が上記の第３実施例の構成と異なる箇所は、図示していないが、図３・図５の構成による遊技島装置５００の構成において、図２の構成による遊技島装置５００の構成と同様に遊技機Ｂの列を片側、例えば、図２の構成と同様に、前側のみに設けるように変更するとともに、鍵操作箇所１１０ｙ５を操作して収納機１１０の取出操作箇所１１０Ｘの錠開閉を行う構成も、その片側のみに設けるように変更して構成した箇所である。
【００９０】
つまり、この第４実施例の構成は、概括的には、第１には、上記の第３実施例と同様に、上記の第２の構成を構成しているものであり、また、第２には、上記の第２の構成において、
上記の遊技機Ｂの列を上記の主搬送路Ｍの前側または後側のみに配置した上記の第３の構成を構成していることになるものである。
【００９１】
さらに、第３には、上記の第２の構成において、
上記の遊技機Ｂの列を上記の主搬送路Ｍの前側または後側のみに配置するとともに、上記の取出操作箇所１１０Ｘの錠開閉を上記の前側または上記の後側のいずれか一方のみから行える鍵操作箇所、例えば、錠１１０ｙを操作する箇所を設けた上記の第５の構成を構成していることになるものである。
【００９２】
そして、この第４実施例の構成によれば、図２の第２実施例の構成と同様に、上記の第３実施例での壁部Ｐ１・Ｐ２に加えて、遊技島装置５００の奥側にも壁部Ｐ３があるような隅部分の場所にも配置できるため、店内における配置場所の選択が容易になるとともに、遊技機Ｂの配置数を増加させて配置できるので、店内配置における稼働率を向上させることができることになるものである。
【００９３】
〔変形実施〕
この発明は次のように変形して実施することを含むものである。
（１）図１の第１実施例における外箱５０の下流側の空き場所５０Ｘにも、遊技機Ｂ・貸付機Ｃのいずれか一方または両方を配置して構成する。
（２）第１実施例・第２実施例・上記（１）における屈曲主搬送部分４Ｘに代えて、合流搬送部分２を設けるように変更して構成する。
【００９４】
そして、上流側に配置した主搬送部分４の下流側の端部、すなわち、薄片１００の送出部分を合流搬送部分２の副搬送路Ｓを接続する箇所に接続するとともに、合流搬送部分２の下流側の主搬送部分４を接続する箇所を、そのまま、収納機１１０の取込部分に接続するか、または、その間に、短い補間用の主搬送部分を介在させてＬ字形の搬送路を構成するように変更して構成する。
【００９５】
（３）第１実施例・第２実施例・上記（１）（２）の構成において、屈曲主搬送部分４Ｘの屈曲搬送路Ｍｘの屈曲方向を逆勝手、すなわち、主搬送路Ｍに対して右方向に屈曲させるように変更して構成する。
【００９６】
（４）第１実施例・第２実施例・上記（１）〜（３）の構成において、取出操作箇所１１０Ｘの開閉蓋５２の上流側と、これに隣接する遊技機Ｂの正面の下流側との間に仕切１３０を設けて構成する。
【００９７】
この仕切１３０は、隣接する遊技機Ｂを使用している遊技客に対して、貯留されている薄片１００を盗取するなどの悪意で錠５２ａ・１１０ｙの操作をしずらくすることと、悪意でなくとも、何かのはずみで、取出操作箇所１１０Ｘの開閉蓋５２に手をやった場合に、そうした悪意の操作と誤解されないようにする役目をするものである。
【００９８】
仕切１３０は、取出操作箇所１１０Ｘの前に怪しい人物がいるか否かを店内の監視員が監視し易いように、透明の部材、例えば、透明の合成樹脂材・ガラス材による仕切、または、格子状の仕切などにして構成する。
【００９９】
（５）第１実施例〜第４実施例・上記（１）〜（４）の構成を、上記の図８の〔末端合流型〕の第４従来技術の構成、同図の〔末端補間型〕の第５従来技術の構成、上記の第７従来技術・第８従来技術・第９従来技術の構成、または、これらの従来技術の構成を適宜に組み合わせた構成に適用して構成する。
【０１００】
（６）第１実施例〜第４実施例・上記（１）〜（５）の構成における貯留部分１１２・押込機構１１６の配置を収納搬送路Ｋに対して逆勝手、すなわち、収納搬送路Ｋに対して、左右が入れ代わるように変更して構成する。
【０１０１】
（７）第１実施例〜第４実施例・上記（１）〜（６）の構成において、図７の〔下流側側面〕により説明した制御表示部分１１０Ａと覗き窓５２ｂに相当する部分を、図７の〔ロ−ロ縦断側面〕における外箱５０の上方の枠部分５３であって、取出操作箇所１１０Ｘの上方に相当する位置に配置して構成する。
【０１０２】
（８）上記（８）の構成において、取出操作箇所１１０Ｘが前側または後側のみに配置されている場合に、その配置されている側のみに、上記の制御表示部分１１０Ａと覗き窓５２ｂに相当する部分を配置して構成する。
【０１０３】
【発明の効果】
この発明によれば、以上のように、収納機を遊技機の列と同列に配置して収納機に貯留されている薄片、例えば、紙幣の取出操作箇所を遊技機の正面と同一側に配置しているので、遊技島装置の全長を短くするとともに、遊技島装置の収納機側の通路を不要にすることができる。
【０１０４】
また、収納機を主搬送路の下流側端に配置された遊技機の背面側に配置するとともに、遊技機を開いた箇所に紙幣の取出操作箇所を配置しているので、同様にして、遊技島装置の全長を短くするとともに、遊技島装置の収納機側の通路を不要にすることができる。
【０１０５】
このため、店内における遊技島装置の配置場所の選択が容易になるとともに、遊技島装置の遊技機の配置数を増加させて配置できるので、店内配置における稼働率を向上できるなどの特長が得られるという効果がある。
【図面の簡単な説明】
図面中、図１〜図６はこの発明の実施例を、図７〜図１３は従来技術を示し、各図の内容は次のとおりである。
【図１】全体構成横断平面・要部構成内部横断平面図
【図２】全体構成横断平面図
【図３】全体構成横断平面図
【図４】要部構成内部横断平面図
【図５】全体構成横断平面図
【図６】要部構成斜視図
【図７】全体構成横断平面・縦断面・側面図
【図８】全体構成横断平面図
【図９】全体構成横断平面図
【図１０】全体構成横断平面図
【図１１】要部構成内部横断平面図
【図１２】要部構成斜視図
【図１３】要部構成斜視図
【符号の説明】
２　合流搬送部分
２Ａ　保護覆
４　主搬送部分
４Ａ　保護覆
８　案内導管
８Ｂ　案内導管
８Ｃ　共通路
８Ｃ１　終端路
８Ｃ２　転向路
８Ｃ３　転向路
８Ｄ１　電動アクチェータ
８Ｄ２　電動アクチェータ
２１ａ・２１ｂ　対向ローラ
２２ａ・２２ｂ　対向ローラ
２３　送込ローラ
２６　駆動モータ
４２　対向ベルト部分
４４ａ・４４ｂ・４６ａ・４６ｂ　プーリ
４５　対向ベルト搬送機構
４５Ａ・４５Ｂ　ベルト
４５Ａ１　外側の復側ベルト
４５Ｂ１　内側の復側ベルト
４５Ｒ・４５Ｓ・４５Ｔ　案内用ローラ
５０　外箱
５０Ｘ　空き部分
５１　端板
５２　覆箱
５２Ａ　開閉蓋
５２ａ　錠
５２ｂ　覗き窓
５３　枠部分
８０　通路
１００　薄片
１１０　収納機
１１０Ａ　制御表示部分
１１０Ｘ　取出操作箇所
１１０ｂ　内蓋
１１０ｄ　取付ねじ
１１０ｙ　錠
１１０ｙ１　回転部分
１１０ｙ２　連結部分
１１０ｙ５　鍵操作箇所
１１１ａ・１１３ｂ　対向ローラ
１１２　貯留部分
１１２Ｃ　ばね
１１２Ｄ　押板
１１２Ｅ　止板
１１２Ｘ　カセット
１１２ｘ　支点
１１３Ｄ　案内導管
１１３Ｅ・１１３Ｆ　対向ローラ
１１３Ｇ・１１３Ｈ　対向ローラ
１１５ａ・１１５ｂ　対向ローラ
１１６　押込機構
１１６Ａ　電動アクチェータ
１１６Ｂ　Ｘバーリンク機構
１１６Ｃ　押板
１１７　駆動モータ
１１８　検出部分
１２０　ベルト
１２１　保護覆
１２１Ａ　取付部分
１２２　内蓋
１３０　仕切
３００　薄片搬送装置
５００　遊技島装置
Ｂ　遊技機
Ｂ（Ｂｅ）　列端の遊技機
Ｂａ　支点
Ｂｘ　正面
Ｂｙ　錠
Ｃ　貸付機
Ｃ１ａ・Ｃ１ｂ・Ｃ２ａ・Ｃ２ｂ　プーリ
Ｃ３　対向ベルト搬送機構
Ｃ３ａ・Ｃ３ｂ　ベルト
Ｃ４　駆動モータ
Ｃ１１・Ｃ１２　案内片
ＣＡ　保護覆
Ｅ　補間用主搬送部分
Ｋ　収納搬送路
Ｋ１　始端
Ｌｘ　幅
Ｌｚ　全長
Ｍ　主搬送路
Ｍｅ　終端部分
Ｍｘ　屈曲搬送路
Ｍ１　終端
Ｐ１・Ｐ２３・Ｐ３　壁部
Ｓ　副搬送路
θｘ　屈曲角度
【図１】
2004016430.tif 000003
【図２】
2004016430.tif 000004
【図３】
2004016430.tif 000005
【図４】
2004016430.tif 000006
【図５】
2004016430.tif 000007
【図６】
2004016430.tif 000008
【図７】
2004016430.tif 000009
【図８】
2004016430.tif 000010
【図９】
2004016430.tif 000011
【図１０】
2004016430.tif 000012
【図１１】
2004016430.tif 000013
【図１２】
2004016430.tif 000014
【図１３】
2004016430.tif 000015